(57)【要約】【課題】球貯留ボックスの取付け・取外しが簡単に行なえるようにして球貯留ボックスの固定作業やメンテナンス作業が能率良く行えるようにしたパチンコ遊技機を提供する。【解決手段】前面枠２のボックス取付領域３２に球貯留ボックス３３を配置すると共に該球貯留ボックス３３を水平面内で自在に回動するように一側で軸着し、また、ボックス取付領域３２の外周縁に摺動して該ボックス取付領域３２内の球貯留ボックス３３に係止する複数の係止爪部７０を配設し、前記軸着部は軸孔６８と該軸孔６８に嵌脱自在に挿通される軸ピン５５とからなる。【選択図】図９
2007054300.tif 000002
【特許請求の範囲】
【請求項１】
前面枠の一側に球払出装置から払い出された遊技球を上球皿へ排出する球排出口と該上球皿から溢れた遊技球を前記前面枠の前側に排出する溢出口とを開設し、前記球排出口及び溢出口より下方にボックス取付領域を成形し、前記ボックス取付領域に前記溢出口から排出された遊技球を受け入れる球貯留ボックスを配置してなるパチンコ遊技機であって、
前記球貯留ボックスを水平面内で自在に回動するように一側で軸着し、また、前記ボックス取付領域の外周縁に摺動して該ボックス取付領域内の前記球貯留ボックスに係止する複数の係止爪部を配設し、前記軸着部は軸孔と該軸孔に嵌脱自在に挿通される軸ピンとからなることを特徴とするパチンコ遊技機。
【請求項２】
前記ボックス取付領域に位置決め用のリブを突設し、前記球貯留ボックスには該球貯留ボックスを前記ボックス取付領域に配置したとき前記位置決め用のリブが嵌入するガイド凹部を設けた請求項１記載のパチンコ遊技機。
【発明の詳細な説明】
【技術分野】
【０００１】
本発明は、前面枠に上球皿から溢れる遊技球を受け入れる球貯留ボックスを配置するようにしたパチンコ遊技機に関するものである。
【背景技術】
【０００２】
本出願人は、この種球貯留ボックスを備えたパチンコ遊技機を先に出願している。すなわち、その出願に係る発明は、遊技盤が設置される前面枠の一側に球払出装置から払い出された遊技球を上球皿へ排出する球排出口と該上球皿から溢れた遊技球を前記前面枠の前側に排出する溢出口とを開設し、前記球排出口及び溢出口より下方に前面枠を前方へ窪ませてその裏側にボックス取付領域としての窪み部を成形し、該窪み部に前記溢出口から排出された遊技球を受け入れる球貯留ボックスを収納して構成される（例えば、特許文献１参照。）。
【特許文献１】特願平２００４−３０１９１５号明細書（第５−７頁段落００１３−００１９、図５、図６）
【発明の開示】
【発明が解決しようとする課題】
【０００３】
しかしながら、前記球貯留ボックスは前後に位置する本体枠部と蓋体枠部とからなり、本体枠部には複数のボス挿通孔が開設されている。一方、窪み部の内周面には前記各ボス挿通孔と対応位置して複数のボスが突設されている。そして、前記各ボスを各ボス挿通孔に挿通すると共に本体枠部に蓋体枠部を被せ、各ボスの後端面の螺子孔にそれぞれ螺子を螺締して窪み部に球貯留ボックスを配置固定するようにしている。
【０００４】
このように多くの螺子を螺締することにより球貯留ボックスを配置固定するようにしているので、その固定作業に面倒な手間と多くの時間が掛かり作業性を向上させるに支障となっていた。また、例えば、稼動中に球貯留ボックス内で球詰まりが生じその修理のため球貯留ボックスを前面枠から取り外さねばならない場合も、その都度各螺子を逐一取り外す必要があることから、メンテナンス作業も面倒であるという改良すべき点が残されていた。
【０００５】
そこで、本発明は上記課題に鑑みてなされたものであり、球貯留ボックスの取付け・取外しが簡単に行なえるようにして球貯留ボックスの固定作業やメンテナンス作業が能率良く行えるようにしたパチンコ遊技機を提供することを目的とするものである。
【課題を解決するための手段】
【０００６】
かかる目的を達成するため本発明に係るパチンコ遊技機は、前面枠の一側に球払出装置から払い出された遊技球を上球皿へ排出する球排出口と該上球皿から溢れた遊技球を前記前面枠の前側に排出する溢出口とを開設し、前記球排出口及び溢出口より下方にボックス取付領域を成形し、前記ボックス取付領域に前記溢出口から排出された遊技球を受け入れる球貯留ボックスを配置してなるパチンコ遊技機であって、前記球貯留ボックスを水平面内で自在に回動するように一側で軸着し、また、前記ボックス取付領域の外周縁に摺動して該ボックス取付領域内の前記球貯留ボックスに係止する複数の係止爪部を配設し、前記軸着部は軸孔と該軸孔に嵌脱自在に挿通される軸ピンとからなる。
【０００７】
また、前記ボックス取付領域に位置決め用のリブを突設し、前記球貯留ボックスには該球貯留ボックスを前記ボックス取付領域に配置したとき前記位置決め用のリブが嵌入するガイド凹部を設けることが好ましい。
【発明の効果】
【０００８】
本発明に係るパチンコ遊技機は、球貯留ボックスを回動させボックス取付領域内に配置すると共に各係止爪部を摺動させ球貯留ボックスに係止させるのみで球貯留ボックスが簡単に固定でき、ネジ止めといった面倒な作業を必要としないことから、球貯留ボックスの取付け・取外しが楽に行えることになる。よって、その固定作業やメンテナンス作業が能率良く行えるという効果がある。
【０００９】
また、ボックス取付領域に位置決め用のリブを突設し、球貯留ボックスには該球貯留ボックスをボックス取付領域内に配置したとき位置決め用のリブが嵌入するガイド凹部を設けるようにすれば、ボックス取付領域内で球貯留ボックスが正位置に配置されることになり、その中を流下する遊技球の流れ状態が常に安定し、球詰まり現象もほとんど生じないという有益な効果がある。
【発明を実施するための最良の形態】
【００１０】
以下、本発明に係るパチンコ遊技機の実施の形態を図面に基づき説明する。図１は本発明に係るパチンコ遊技機の前面斜視図、図２は同透明板保持枠を開いた状態の斜視図、図３は同裏面図、図４は同前面枠の下部の正面図である。パチンコ遊技機Ｐは木製からなる縦長方形状の外枠１を有し、該外枠１の前面に額縁状の前面枠２がその一側上下部を前記外枠１の一側上下部に設けた軸支部３，３に軸支して回動自在に装着される。この前面枠２は合成樹脂製であってその上部中央に略円形の窓開口４が開設され、下部にはその前面に平坦な下枠板部２ａが一体に成形される。
【００１１】
前記前面枠２の裏側に下枠板部２ａの上面に載るようにして遊技盤５が設置される。そして、遊技盤５前面の遊技部５ａが、内側・外側ガイドレール６ａ，６ｂに囲われるようにして前記窓開口４に臨むようになっている。遊技盤５の遊技部５ａには、ほぼ中央に位置して数字、図柄等の情報が変動表示される可変表示装置７、その下方に位置して遊技球の入賞によって該可変表示装置７を作動させる始動入賞口８が装着される。更に、その下方に前記可変表示装置７の情報が特定の表示に揃ったとき一定の条件の下で一度に多くの入賞球が得られる入賞装置９、一般入賞口１０といった盤面部品がそれぞれ装着される。また、遊技部５ａの下部に該遊技部５ａに打ち込まれるも入賞球とならなかったアウト球としての遊技球を受け入れ、遊技盤５の裏側へ導くアウト球口１１が開設されている。
【００１２】
前面枠２の前面には、該前面枠２とほぼ同じ大きさを有し遊技盤５前面の遊技部５ａが臨む窓開口１２ａを開設した透明板保持枠１２が開閉自在に軸着される。前記窓開口１２ａは、前後に平行に配置した２枚の透明板としてのガラス板１３，１３により覆われる。透明板保持枠１２の下部前面に、後記する打球発射位置３６ａへ供給される遊技球を貯留するための上球皿１４が装着される。また、その下方に球抜皿１５が装着される。この球抜皿１５は、その球貯留部１５ａの容積が比較的小さく設定されている。更に、その一側に打球の打球力を調整するための操作ハンドル１６が装着される。
【００１３】
前面枠２の裏側に、遊技盤５の裏面を覆うようにして合成樹脂製の機構板１７が回動自在に装着される。該機構板１７の中央に、遊技盤５の裏面に取り付けられ遊技盤５の裏側へ入賞球またはアウト球として排出される遊技球を集め下方へ導く球集合カバー１８が臨む開口１９が開設される。また、機構板１７の裏面には、前記開口１９を囲うようにしてその上部に球タンク２０が配置され、その下方にタンクレール２１が配置されると共にその流下端にカーブレール２２を介して球払出装置２３が配設されている。球払出装置２３の下方に、該球払出装置２３から排出される遊技球を前記上球皿１４に導くための球払出樋２４が設けられる。
【００１４】
また、前記開口１９の下縁に球集合カバー１８によって集められた遊技球を受け入れる球寄せ樋２５が配置される。該球寄せ樋２５に受け入れられた遊技球は中央へ集められ、その下方の屈曲樋２６に落下するようになっている。２７は、機構板１７の一側に配設され、遊技終了後にパチンコ遊技機Ｐ内の遊技球を抜き取るための球抜き樋である。
【００１５】
前記前面枠２の下枠板部２ａには、その一側に前記球払出樋２４と連通し、球払出装置２３から払い出される遊技球を前面枠２の前側へ排出する球排出口２８が開設される。また、該球排出口２８に隣接位置して下枠板部２ａに上球皿１４から溢れる遊技球を排出するための溢出口２９が開設される。これら球排出口２８、溢出口２９は後記するボックス取付領域としての窪み部３２の上方に位置する。
【００１６】
すなわち、図８に示すように前記球払出樋２４における球排出口２８側に寄せた内壁一側に溢れ球口３０が開設され、該溢れ球口３０が溢れ球排出樋３１を介してその下端の溢出口２９と連通している。前記溢出口２９は下枠板部２ａの裏側に配置され後記する球貯留ボックス３３上面の開口に臨むようになっており、前記上球皿１４から溢れた遊技球を溢れ球口３０を介して溢れ球排出樋３１内に流入させ、その流下端の溢出口２９から球貯留ボックス３３内に受け入れるようにしている。
【００１７】
本発明では図５に示すように前記下枠板部２ａの裏面に、操作ハンドル１６側を残して下枠板部２ａを前面枠２の厚み幅の範囲内で前方へ窪ませ略横長長方形状をなすボックス取付領域としての窪み部３２が成形される。該窪み部３２内には、これとほぼ同じ大きさの球貯留ボックス３３が配置される。この窪み部３２の上面は開放しており、その一側下部に前記球抜皿１５に遊技球を排出するための球出口３４が開設され、同側上部に前記上球皿１４に貯留される遊技球を球抜きするための球通口３５が開設される。
【００１８】
前記球貯留ボックス３３は、前記上球皿１４から溢れる遊技球を受け入れるようにしたもので、従来の大きさの下球皿に貯留される平均的な遊技球量がそのまま貯留し得る程度の内容積を有する。前記球排出口２８と溢出口２９に対応する球貯留ボックス３３の上端面は開口しており、該開口に前記球排出口２８と溢出口２９とが上から臨むようになっている。
【００１９】
下枠板部２ａ前面の操作ハンドル１６側に打球発射レール３６が装着される。該打球発射レール３６の先端は前記外側ガイドレール６ｂの基端部にファール球排出通路３７を介して連なっている。また、下枠板部２ａの前面に発射装置用の支持板３８が取り付けられ、該支持板３８の前面に往復回動してその先端部が前記打球発射レール３６の打球発射位置３６ａに臨む打球槌３９が軸着される。また、支持板３８の裏側には、遊技者が操作ハンドル１６を握ることにより通電して前記打球槌３９を往復回動させる駆動モータ４０が配置され、前記打球発射レール３６の打球発射位置３６ａに打球槌３９の打球部が間歇的に臨み、該打球発射位置３６ａにある遊技球を打って発射させるようにしている。
【００２０】
次に、前記球貯留ボックス３３について詳しく説明する。この球貯留ボックス３３は合成樹脂材から成形され、図６、図７に示すように本体枠部４１とその前側に位置する前側板部４２と後側に位置する樋部材４３とからなる。
【００２１】
前記本体枠部４１は、後側に鉛直な後側板部４４が配置されると共にその前側周縁に一側上方を残して側枠部４５が設けられ、前面は開放している。また、本体枠部４１の上面開口側に上下位置を異ならせて上面が互いに対向して緩やかに下傾する二個の棚板４６ａ，４６ｂが配置される。この内、下方の棚板４６ｂはその流下端が前記前側板部４２に開設される導通口６０に対応する位置まで延設されている。この導通口６０は前記窪み部３２の球出口３４と連なるようになる。
【００２２】
そこで、球貯留ボックス３３内に上から受け入れられた遊技球はそれら棚板４６ａ，４６ｂの上面に載り、その上面を転動して導通口６０側へ導かれる。また、導通口６０の位置の反対側にも、上面が導通口６０側に向かって緩やかに下傾する棚板４６ｃが配置され、その上流端に前記球通口３５と連通する球入口４７が開設される。
【００２３】
前記本体枠部４１の上面開口側であって後側板部４４の前面に縦長方形枠４８が配置される。そして、該縦長方形枠４８と近接する本体枠部４１の側枠部４５との間に、上端が前記溢出口２９に対応位置し、下端が下方の棚板４６ｂ上面に連なる縦通路４９が成形される。該縦長方形枠４８に縦通路４９側に透口５０が開設され、該透口５０の上端には該透口５０を塞ぐようにして検知板５１が揺動自在に軸着されている。この検知板５１は、球貯留ボックス３３内に溜まる遊技球の球量を検知するためのものであり、常にはその側面が透口５０から縦通路４９側へ張り出している。また、縦長方形枠４８内に、検知板５１と対向位置してリミットスイッチ５２が配置され、検知板５１が遊技球に押されて内側へ揺動したときこれを電気的に検知し、球貯留ボックス３３内が遊技球で一杯であることを知らせるようにしている。
【００２４】
また、前記上面開口側の後側板部４４の裏面に球貯留ボックス３３を水平面内で回動させるための軸支部材５３が取着される。該軸支部材５３は平面Ｌ字形に屈曲して成形され、一方の側板部５３ａの上下両端縁に外側へ水平に屈曲する一対のフランジ５４，５４が突設される。両フランジ５４，５４の下面にそれぞれ同一軸線上に位置して軸着部としての軸ピン５５が垂設されている。他方の側板部５３ｂには、複数のビス挿通孔５６が開設され、後側板部４４の所定位置に他方の側板部５３ｂを当接して軸支部材５３がビス５７止めされる。
【００２５】
側枠部４５の下面には左右に所定の間隔離して前後方向に延びるガイド凹部５８，５８が設けられている。これは、窪み部３２側に突設された後記する位置決め用のリブ６９が嵌入して球貯留ボックス３３の位置をしっかりと固定するためのものである。また、側枠部４５には所定位置に複数のビス孔５９が設けられる。
【００２６】
前側板部４２は本体枠部４１の前面とほぼ同じ大きさであってその前面を覆うようにしており、前記下方の棚板４６ｂの流下端に位置しかつ前記窪み部３２の球出口３４と連通する導通口６０が開設される。前側板部４２の下端縁には、前記各ガイド凹部５８に対応位置して凹部６１が凹設されている。また、前記本体枠部４１の各ビス孔５９と対応位置して複数のビス挿通孔６２が設けられている。そして、各ビス挿通孔６２を介して各ビス孔５９にビス５７を螺締めすることにより前側板部４２が本体枠部４１の前面に取り付けられる。
【００２７】
樋部材４３は前面が開放され側断面が略コ字型に成形される。その内部には球誘導樋６３が設けられ、上流端に前記球抜き樋２７の流下端と連なる球受口６４が設けられる。一方、その下流端は下方に向け開放される。また、球誘導樋６３の上辺の途中に前記屈曲樋２６の開放流下端と連なる接続口６５が開設されている。更に、前記本体枠部４１の後側に設けられた各ビス孔５９に対応位置して複数のビス挿通孔６６が設けられている。この場合も、各ビス挿通孔６６を介してビス孔５９にビス５７を螺締することにより樋部材４３が本体枠部４１の後面に取り付けられる。
【００２８】
一方、図３、図９に示すように前記下枠板部２ａ裏面には、窪み部３２の一側に前記軸支部材５３に対応位置して上下一対の軸板６７，６７が水平に突設され、両軸板６７，６７に前後方向に沿った軸着部としての軸孔である長軸孔６８が開設されている。各長軸孔６８は前記各軸ピン５５が挿通される横幅を有し、かつ、窪み部３２すなわち球貯留ボックス３３の前後方向の厚みとほぼ同じ長さ寸法を有する。
【００２９】
そして、各軸ピン５５を各長軸孔６８にそれぞれ上方から落とし込むようにして挿通することにより、球貯留ボックス３３が軸ピン５５を中心として水平面内で自在に回動し、また、各長軸孔６８の前後方向の長さ寸法範囲で前後に移動できるようになっている。更に、前記各軸ピン５５が各長軸孔６８の奥端部に位置するとき球貯留ボックス３３は窪み部３２内の正位置に配置され、各軸ピン５５が各長軸孔６８の先端部に位置するとき球貯留ボックス３３が窪み部３２の外側に位置する。窪み部３２の下縁には、前記球貯留ボックス３３の各ガイド凹部５８に嵌入する位置決め用のリブ６９，６９が突設されている。
【００３０】
また、下枠板部２ａの裏面であって窪み部３２の外周縁の四個所に球貯留ボックス３３を窪み部３２内で固定する係止爪部７０が配置される。各係止爪部７０は、長細状に成形され胴部に縦長孔７０ａが貫設されている。該縦長孔７０ａには下枠板部２ａから後方へ突出する筒部７１が余裕を持って嵌入し、縦長孔７０ａの外側から該筒部７１に該縦長孔７０ａの横幅寸法よりも直径寸法の長い頭部を有するネジ７２を螺締することにより、各係止爪部７０が摺動自在に設けられる。各係止爪部７０の先端下面には突部７３が設けられ、係止爪部７０の前進位置でこの突部７３が球貯留ボックス３３の裏面の凹部７４ａに嵌入して球貯留ボックス３３に係止する。反対に、係止爪部７０の後退位置で突部７３が下枠板部２ａ裏面の凹部７４ｂに嵌入することによりその係止が解かれるようになっている。
【００３１】
前記透明板保持枠１２には、図２に示すように該透明板保持枠１２を閉じたとき前記球排出口２８に合致し球排出口２８から払い出される遊技球を上球皿１４に排出するための連絡樋７５が取着される。また、開放側に位置して上球皿１４に貯留される遊技球を一個ずつ前記打球発射レール３６の打球発射位置３６ａへ供給する打球供給装置７６が装着され、該打球供給装置７６の一側に打球発射位置３６ａに臨む供給口７７が設けられる。その近傍には前記下枠板部２ａの球通孔３５と連通する球抜き口７８が開設される。更に、中央下部に窪み部３２に開設される球出口３４を介して球抜皿１５と連通する連絡口７９が設けられている。前記ファール球排出通路３７は球貯留ボックス３３の一方の棚板４６ａと連なっている。
【００３２】
本発明に係るパチンコ遊技機Ｐは上記構成からなり、上下の各軸ピン５５を各長軸孔６８に挿通し、各軸ピン５５が各長軸孔６８の先端部に位置している状態で、球貯留ボックス３３を図９矢視方向へ回動させ窪み部３２側へ移動させる。また、球貯留ボックス３３が窪み部３２の後側に位置した状態で、球貯留ボックス３３を図１０矢視方向へすなわち前側へ移動させ窪み部３２内に収納させる。このとき、図１１に示すように窪み部３２の内周面に設けられた各リブ６９が各ガイド凹部５８に嵌入し、これにより球貯留ボックス３３が正位置に配置される。また、この状態で、各係止爪部７０を摺動させて各突部７３を球貯留ボックス３３裏面の各凹部７４ａに嵌入する。これにより、球貯留ボックス３３が窪み部３２内に配置されしっかりと固定される。この際，前記軸ピン５５と長軸孔６８とがガイドとなるので、球貯留ボックス３３を正位置に配置し易い。
【００３３】
そこで、例えば、遊技中に始動入賞口８に遊技球が入賞して可変表示装置７の表示部の情報が変動し、一定時間経過後に特定の組合せ（例えば、「７７７」）に揃い大当たり状態となると、入賞装置９の扉が一定の条件の下で複数回開いてその入賞装置９に多くの遊技球が入賞する。これに伴い、球払出装置２３が作動し多くの遊技球が賞球として払い出される。これら遊技球は、球払出樋２４に導かれて球排出口２８を介して上球皿１４に貯留される。
【００３４】
そして、上球皿１４が遊技球で一杯になり溢れるようになると、これら溢れる遊技球は球排出口２８内側の溢れ球口３０から溢れ球排出樋３１に流入し、更に、該溢れ球排出樋３１に導かれて溢出口２９から縦通路４９を通過しつつ球貯留ボックス３３内に流入する。流入した遊技球の内、先の遊技球は棚板４６ｂ上面を転動し、球出口３４，連絡口７９を介して球抜皿１５に達する。この球抜皿１５には僅かな遊技球しか停留せず、ほとんどの遊技球は球貯留ボックス３３内に貯留されることになる。
【００３５】
球貯留ボックス３３に一定量の遊技球が溜まり縦通路４９内にまで達すると、その球圧により検知板５１が縦長方形枠４８内に回動し、これに伴いリミットスイッチ５２がオン動作して球貯留ボックス３３内に遊技球が一杯であることを知らせる。その方法として例えば、駆動モータ４０の回転を停止して打球動作を不能にさせる。そこで、遊技者は球抜皿１５の下方に球箱（図示せず。）を置き球抜きを行う。球貯留ボックス３３の遊技球が減ってきて検知板５１が球圧から開放され元の位置に復帰すると、リミットスイッチ５２がオフ動作し、再び打球の発射動作が行なえるようになる。
【００３６】
一方、遊技中であって上球皿１４及び球払出樋２４の一部に遊技球が連なって貯留されており、故障などの点検のため透明板保持枠１２を開いた場合であっても、前記球払出樋２４に残っている遊技球は、そのまま開口を介して球貯留ボックス３３内に取り込まれることになり、外部に零れ落ちるようなことはない。また、打球発射位置３６ａから発射された遊技球であって運悪く遊技盤５の遊技部５ａに達せず、逆戻りしたファール球はファール球排出通路３７に落下して球貯留ボックス３３内に貯留される。更に、遊技終了後に上球皿１４内に遊技球が残っている場合、これら遊技球は、上球皿１４に設けられる球抜きレバー（図示せず。）を操作することにより、球抜き口７８及び球通口３５を介して球貯留ボックス３３に貯留される。
【００３７】
本発明にあっては、球貯留ボックス３３を回動自在に軸着すると共に各軸ピン５５を各長軸孔６８に挿通して摺動させ、窪み部３２内に球貯留ボックス３３が収納された状態で、各係止爪部６９を摺動し球貯留ボックス３３の裏側に係止する。このように、球貯留ボックス３３を窪み部３２内に回動させると共に各係止爪部６９を摺動し係止させるのみで球貯留ボックス３３が取り付けられることから、該球貯留ボックス３３の取付け・取外しが簡単かつ楽に行なえることになる。
【００３８】
また、この際、窪み部３２の内周面の位置決め用の各リブ６９が各ガイド凹部５８に嵌入するので、球貯留ボックス３３が窪み部３２内で正位置に配置され位置ずれを起こすようなこともなく、その中を流下する遊技球の流れ状態が常に安定する。
【００３９】
なお、本実施の形態の説明では、下枠板部２ａ側に長軸孔６８を有する軸板６７を設け、球貯留ボックス３３側に軸ピン５５を設けるようにしたが、これら取付けを逆にしても良い。また、ボックス取付領域としての窪み部３２を下枠板部２ａの裏面に成形したが、逆にボックス取付領域を下枠板部２ａの前面に成形するようにしても良い。この場合は、前記のような窪み部を成形する必要はない。また、窪み部を成形しないときは、前記軸孔を敢えて長軸孔６８にする必要もない。
【図面の簡単な説明】
【００４０】
【図１】本発明に係るパチンコ遊技機の前面斜視図。
【図２】同透明板保持枠を開いた状態の斜視図。
【図３】同裏面図。
【図４】同前面枠の下部の正面図。
【図５】球貯留ボックスを開いた状態の前面枠の裏面斜視図。
【図６】球貯留ボックスの前から見た斜視図。
【図７】同分解斜視図。
【図８】図４のＸ−Ｘ線断面図。
【図９】球貯留ボックスの取付状態を示す下枠板部部位の平面断面図。
【図１０】球貯留ボックスの取付状態を示す下枠板部部位の平面断面図。
【図１１】球貯留ボックスの取付状態を示す下枠板部部位の平面断面図。
【符号の説明】
【００４１】
２                    前面枠
５                    遊技盤
１４                  上球皿
２３                  球払出装置
２８                  球排出口
２９                  溢出口
３２                  ボックス取付領域（窪み部）
３３                  球貯留ボックス
５５                  軸着部（軸ピン）
５８                  ガイド凹部
６８                  軸着部（長軸孔）
６９                  位置決め用のリブ
７０                  係止爪部
Ｐ                    パチンコ遊技機
【図１】
2007054300.tif 000003
【図２】
2007054300.tif 000004
【図３】
2007054300.tif 000005
【図４】
2007054300.tif 000006
【図５】
2007054300.tif 000007
【図６】
2007054300.tif 000008
【図７】
2007054300.tif 000009
【図８】
2007054300.tif 000010
【図９】
2007054300.tif 000011
【図１０】
2007054300.tif 000012
【図１１】
2007054300.tif 000013